(57)【特許請求の範囲】
【請求項１】
鉄筋の側方から鉄筋に装着できる長尺状の鉄筋組付用のテンプレートであって、２個の半円筒状体を組み合わせて得られる円筒状の鉄筋組付用治具を装着して固定できる「Ｃ」字状の切欠からなる穴部を両側部及び端部に備えた鉄筋組付用のテンプレートと、
他のテンプレートと重ね合わされる端部において鉄筋組付用治具と干渉しないように大径にて形成した干渉防止切欠部を備えた長尺状の鉄筋組付用のテンプレートと、
からなり、
それらの鉄筋組付用のテンプレートを互いに連結することで、全体を口字形、日字形、目字形、田字形、囲字形又はその他の多角形状とすることができることを特徴とする鉄筋組付用のテンプレート。
【請求項２】
鉄筋組付用治具の下部外周に形成した係止突部を挿通できるように、「Ｃ」字状の切欠からなる前記穴部を部分的に拡大するように１８０度離間して一対形成された拡径部を備えていることを特徴とする請求項１に記載の鉄筋組付用のテンプレート。
【請求項３】
２個の半円筒状体を組み合わせて得られる円筒状の鉄筋組付用治具を装着して固定できる「Ｃ」字状の切欠からなる穴部が、その付近のテンプレートを突出させた部分に形成されていることを特徴とする請求項１又は２に記載の鉄筋組付用のテンプレート。
【発明の詳細な説明】
【技術分野】
【０００１】
本発明は、柱などの鉄筋を正しく位置決めして組み付けることができる鉄筋組付用のテンプレートに関するものである。
【背景技術】
【０００２】
従来、鉄筋（一般的には柱主筋）を正しく位置決めして組み付け、建造物の鉄筋コンクリート柱を製造する際に用いる治具として、鉄筋（棒鋼）を配列する位置に合わせて鉄筋を挿入するための円形の穴部を複数設けた鉄筋支持架台（定規板又はテンプレート）を用いることが知られている（特許文献１〜３）。
【０００３】
そして、この支持架台の穴部と鉄筋との隙間を埋めて精度良く鉄筋を組み付けるために、筒状の鉄筋組付用治具を鉄筋と穴部の間に嵌め込むことが為されている。
【０００４】
さらに、本件特許出願人は、図８に示すように、２個組み合わせることで円筒状とすることができる鉄筋組付用治具と、「Ｃ」字状の切欠からなる穴部を側部に備えている鉄筋組付用のテンプレートを既に提案している（特許文献４）。
この鉄筋組付用のテンプレートにおいては、先端部にフックを備えた鉄筋に対しても、鉄筋の側方からテンプレートを装着することができる。
さらに、この鉄筋組付用のテンプレートにおいては、近くにある他の鉄筋が干渉したり、既に他の鉄筋などが部分的に連結されてしまっている場合においても、鉄筋の側方からテンプレートを装着することができる。
【０００５】
しかしながら、本件出願人が特許文献４において提案したテンプレートは、直線状（長尺状）のテンプレートの端部に穴部が形成されていないため、柱の４隅に配置される鉄筋に側方から装着する場合に対応していないという問題や、「回」の字状に２列（２重）に並んだ鉄筋の位置決めに使用するには、内側の鉄筋用と外側の鉄筋用のテンプレートをそれぞれ用意する必要があるという問題があった。
しかしながら、２列に並んだ鉄筋の内側の鉄筋にも別のテンプレートを装着するのは手間がかかるという問題がある。
【先行技術文献】
【特許文献】
【０００６】
【特許文献１】特開２００４−１９０４１２号公報
【特許文献２】実公昭６３−７６４８号公報
【特許文献３】特開２０１１−１７２９号公報
【特許文献４】特開２０１３−２４１７３２号公報
【発明の概要】
【発明が解決しようとする課題】
【０００７】
本発明は、上記問題を解決するために為されたものであって、本発明の目的は、２列に並んだ鉄筋の間であっても側方から装着が可能であり、また、柱の４隅に配置される鉄筋にも側方から装着が可能であり、鉄筋の周囲に装着される鉄筋組付用治具を取り付けることができる穴部を備えた鉄筋組付用のテンプレートを提供することにある。
【課題を解決するための手段】
【０００８】
本発明は、
『鉄筋の側方から鉄筋に装着できる長尺状の鉄筋組付用のテンプレートであって、２個の半円筒状体を組み合わせて得られる円筒状の鉄筋組付用治具を装着して固定できる「Ｃ」字状の切欠からなる穴部を両側部及び端部に備えた鉄筋組付用のテンプレートと、
他のテンプレートと重ね合わされる端部において鉄筋組付用治具と干渉しないように大径にて形成した干渉防止切欠部を備えた長尺状の鉄筋組付用のテンプレートと、
からなり、
それらの鉄筋組付用のテンプレートを互いに連結することで、全体を口字形、日字形、目字形、田字形、囲字形又はその他の多角形状とすることができる鉄筋組付用のテンプレート。』を最も主要な特徴とする。
【００１１】
本発明は、好適には、鉄筋組付用治具を装着できる「Ｃ」字状の切欠からなる穴部を部分的に拡大するように１８０度離間して一対形成された拡径部を備えている鉄筋組付用のテンプレートである。
また、本発明は、２個の半円筒状体を組み合わせて得られる円筒状の鉄筋組付用治具を装着して固定できる「Ｃ」字状の切欠からなる穴部が、その付近のテンプレートを突出させた部分に形成されていることを特徴とする鉄筋組付用のテンプレートである。
【発明の効果】
【００１２】
上記構成を採用したことにより、本発明の鉄筋組付用のテンプレートは、２列に並んだ鉄筋の間であっても側方から装着が可能であり、また、柱の４隅に配置される鉄筋にも側方から装着が可能であり、さらに、その穴部に対し、鉄筋の周囲に装着される鉄筋組付用治具を取り付けることができる。
この鉄筋組付用治具としては、２個の半円筒状体を組み合わせることで、全体形状を円筒状とすることができるものを好適に使用することができる。
【００１３】
また、本発明の鉄筋組付用のテンプレートは、他のテンプレートと重ね合わされる端部において大径にて形成した干渉防止切欠部を備えていることにより、鉄筋組付用治具を「Ｃ」字状の切欠からなる穴部に取り付ける際に、その鉄筋組付用治具との干渉を防止できる。
【００１４】
さらに、本発明の鉄筋組付用のテンプレートは、鉄筋組付用のテンプレートの穴部に拡径部を形成することで、鉄筋組付用治具に設けた係止突部を利用して、鉄筋組付用治具をテンプレートに対して強固に固定でき、かつ、鉄筋組付用治具をテンプレートから簡単に取り外すことも可能となる。
【図面の簡単な説明】
【００１５】
【図１】図１は、本発明の一実施形態の鉄筋組付用のテンプレート及び鉄筋の配置を示す平面図である。
【図２】図２は、本発明の一実施形態の鉄筋組付用のテンプレートを示す平面図である。
【図３】図３は、本発明の一実施形態の鉄筋組付用のテンプレートと、鉄筋及び鉄筋組付用治具を示す斜視図である。
【図４】図４は、本発明の一実施形態の鉄筋組付用のテンプレート及び鉄筋の配置を示す平面図である。
【図５】図５は、本発明の一実施形態の鉄筋組付用のテンプレートを示す平面図である。
【図６】図６は、本発明の一実施形態の鉄筋組付用のテンプレート及び鉄筋の配置を示す平面図である。
【図７】図７は、本発明の一実施形態の鉄筋組付用のテンプレートを示す平面図である。
【図８】図８は、鉄筋組付用治具を示す図であって、（Ａ）は鉄筋組付用治具を示す斜視図、（Ｂ）は鉄筋組付用治具を構成するための半円筒状体を示す背面図である。
【発明を実施するための形態】
【００１６】
本発明は、鉄筋の設置位置を定める「Ｃ」字状の切欠からなる穴部を備えた鉄筋組付用のテンプレートであって、特に２個の半円筒状体を組み合わせることで構成される鉄筋組付用治具などとともに用いることにより、極めて精度良く主として柱鉄筋の位置をセットすることができるようにしたものである。
【００１７】
ここで、本発明の鉄筋組付用のテンプレートの「穴部」とは、円形の透孔ではなく、鉄筋組付用のテンプレートの一部が切り欠かれて形成される「Ｃ」字状の透孔（切欠）をいうものである。
この「Ｃ」字状とは、穴の内径よりも短い開口を備えた形状であり、その開口から穴の中心部に向けて鉄筋を（側方から）挿入できるものである。
そして、この穴部内に鉄筋を配置し、筒状の鉄筋組付用治具を鉄筋の外周と穴部の内周面との間に挟み込むことで、鉄筋が穴部から抜け出せなくするとともに、鉄筋を穴部の中心位置に正しく維持することを可能とする。
【００１８】
以下、まず本発明の一実施形態の鉄筋組付用のテンプレートトとともに好適に使用できる鉄筋組付用治具Ｊ１、Ｊ２について、図８、図３の記載に基づいて説明する。
図８は、本発明の鉄筋組付用のテンプレートとともに好適に使用することができる鉄筋組付用治具Ｊ１の一形態を示すものであり、半円筒状体Ｈを２個組み合わせることによって鉄筋組付用治具Ｊ１の筒状本体１を得ることができ、当該筒状本体１の外周面の中央部付近には、全体を六角形状とすることができる拡張部２を備えている。
また、前記筒状本体１の下部には係止突部３が形成されている。
【００１９】
さらに、図８（Ｂ）に示すように、前記半円筒状体Ｈの軸心方向に沿って延びる左側の端面には、上下２本の係合凸部Ｓ１が形成されており、図８（Ｂ）において、前記半円筒状体Ｈの軸心方向に沿って延びる右側の端面には、前記係合凸部Ｓ１と対応する位置にて溝状の係合凹部Ｓ２が形成されている。
【００２０】
そして、１個の半円筒状体Ｈに形成された係合凸部Ｓ１は、他の半円筒状体Ｈに形成された係合凹部Ｓ２と係合するようになっている。
即ち、組み合わされる２個の半円筒状体Ｈに形成された係合凸部Ｓ１及び係合凹部Ｓ２は、互いに係合することで、２個の半円筒状体Ｈ同士の正しい組み合わせ状態を安定させる位置決め手段を構成している。
【００２１】
上記構成により、鉄筋組付用治具Ｊ１においては、先端部にフックを有する柱などの鉄筋（棒鋼）であっても、鉄筋の側方から鉄筋の周囲に対して迅速かつ容易に装着することができ、しかも、鉄筋の正しい配置を定めた鉄筋組付用のテンプレートへの取付状態が安定しており安心して以後の建築作業を進めることができる。
また、鉄筋組付用のテンプレートからの取り外しも容易であり、簡単かつ確実に精度良く鉄筋を組み付けることができる。
【００２２】
一方、本発明の一実施形態の鉄筋組付用のテンプレートとともに好適に使用できる鉄筋組付用治具Ｊ２は、図３に示すように、当初から一体成形された円筒状の本体（前記筒状本体１に相当）を有するものであって、前記鉄筋組付用治具Ｊ１と同様に、六角形状の拡張部２及び係止突部３に相当する部分を備えており、柱鉄筋４の上端部から柱鉄筋４に装着できる場合に、使用できるものである。
【００２３】
次に、本願発明の一実施形態として、鉄筋組付用のテンプレート１０〜１４について説明する。
図１及び図２に示すように、鉄筋組付用のテンプレート１０は、４枚の長尺状の鋼製板材からなる鉄筋組付用のテンプレート１１〜１４を口字状に結合させることで一体化し、１つの鉄筋組付用のテンプレート１０を構成しているものである。
なお、この鉄筋組付用のテンプレート１０〜１４の材質は、鉄筋４の位置を固定するための強度を備えていれば、鉄製のものに限らず、コストを問題としなければ、アルミ製、ステンレス製などであってもよい。
また、鉄筋組付用のテンプレート１０〜１４の厚みは、通常、４〜６ｍｍ程度であるが使用状況に応じて適宜変更可能である。
【００２４】
そして、前記鉄筋組付用のテンプレート１２，１４は、鉄筋組付用治具Ｊ１又はＪ２を装着できる「Ｃ」字状の切欠からなる穴部５を両側部及び端部に複数個備えるとともに、鉄筋組付用のテンプレート同士を結合することで全体形状を口字形とするためのテンプレート組立用穴６を両端部に複数個備えている。
このテンプレート組立用穴６は、好適にはボルトを挿通してナットを締め付けることでテンプレート１１〜１４同士を互いに連結して結合し、一体化したテンプレート１０を設けるというボルト穴としての使用態様を意図しているが、ボルト及びナットに代えて、クランプを用いてテンプレート１１〜１４同士を互いに連結する使用態様とすることも本発明の一実施形態として考えられる。
よって、テンプレート組立用穴６の形状は、円形に限られるものではなく、多角形状でもよい。また、テンプレート組立用穴６に代えてテンプレート組立用の突起を形成したテンプレートを用意し、テンプレート組立用穴６を有するテンプレートと組み合わせるようにして実施してもよい。この場合、テンプレート組立用穴６をテンプレートの一方の端部にのみ形成することも考えられる。
【００２５】
前記穴部５は鉄筋組付用のテンプレート１１〜１４の側部を部分的に切り欠くようにレーザー加工などによって透設された「Ｃ」字状に形成されており、その弧状部分のセンターが、鉄筋４の正しいセンター位置（軸心）に対応するものである。
前記穴部５は、その穴部５を部分的に拡大するように１８０度離間して一対形成された拡径部５ａを備えており、前記鉄筋組付用治具Ｊ１又はＪ２の係止突部３を通過させることができるようになっている。
この拡径部５ａは、その形成方向が全て同一とされ、テンプレート１１〜１４への鉄筋組付用治具Ｊ１又はＪ２の取付作業を容易にするとともに、テンプレート１１〜１４に装着された複数の鉄筋組付用治具Ｊ１又はＪ２の固定状態を確認しやすくしている。
【００２６】
前記鉄筋組付用のテンプレート１１，１３は、前記穴部５を端部に備える前記鉄筋組付用のテンプレート１２，１４と結合するように組み合わされる鉄筋組付用のテンプレートであって、他のテンプレート１２，１４と重ね合わされる端部において鉄筋組付用治具Ｊ１又はＪ２の係止突部３と干渉しないように大径にて形成した干渉防止切欠部７を備えている（他の実施形態を示す図６（Ｂ）の破線で示すテンプレート３３参照）。
なお、この干渉防止切欠部７を備えている前記鉄筋組付用のテンプレート１１，１３は、鉄筋組付用治具Ｊ１又はＪ２の拡張部２が当たらないように、前記鉄筋組付用のテンプレート１２，１４の下側に重ねられる。
このような配置とすることで、干渉防止切欠部７の大きさを無用に大きくする必要が無くなり、鉄筋組付用のテンプレート１１，１３の端部の強度が低下することを防止することができる。
【００２７】
また、前記鉄筋組付用のテンプレート１１，１３は、前記鉄筋組付用のテンプレート１２，１４と同様に、鉄筋組付用治具Ｊ１又はＪ２を装着できる「Ｃ」字状の切欠からなる穴部５を両側部に複数個備えている。
さらに、前記鉄筋組付用のテンプレート１１，１３は、鉄筋組付用のテンプレート同士を結合することで全体形状を口字形とするためのテンプレート組立用穴６を両端部に複数個備えている。
【００２８】
なお、各鉄筋組付用のテンプレート１１〜１４には、適宜Ａ１、Ｂ１、Ｃ１、Ｄ１などの識別記号や、通り芯のケガキや、上下（表裏）の表示などを記し、作業の便宜を図るようにするとよい。
なお、上記鉄筋組付用のテンプレート１１〜１４は、互いに結合して全体形状を日字形、目字形、田字形、囲字形又はその他の多角形状とする使用態様に対応するようにテンプレート組立用穴６などを配置して形成していないが、穴部５の位置やテンプレート組立用穴６の位置を変更することで、組み合わされた鉄筋組付用のテンプレートの全体形状を日字形、目字形、田字形、囲字形又はその他の多角形状（５角形、６角形、７角形、８角形など）とする使用態様にも対応可能である。
【００２９】
そして、上記鉄筋組付用のテンプレート１１〜１４によれば、図１及び図３に示すように、「回」字状に２列に並んだ鉄筋４の間であっても側方から装着が可能であり、また、柱の４隅に配置される鉄筋４にも側方から装着が可能であり、さらに、その穴部５に対し、鉄筋４の周囲に装着される鉄筋組付用治具Ｊ１又はＪ２を取り付けることができる。
【００３０】
詳細には、２列に並んだ柱鉄筋４の間に前記鉄筋組付用のテンプレート１１〜１４を差し入れ、鉄筋４の側方から前記テンプレート１１〜１４の穴部５を対応させて鉄筋４を穴部５内に挿入し、それら４枚のテンプレート１１〜１４を互いに結合して１つのテンプレート１０とし、鉄筋４の所定の位置に当該テンプレート１０（即ち鉄筋組付用のテンプレート１１〜１４）を仮り固定する。
【００３１】
そして、２個の半円筒状体Ｈを鉄筋４の両側方から鉄筋４の周囲に装着して組み合わせることで、鉄筋組付用治具Ｊ１を構成し、鉄筋４のセンターを正しい位置に矯正しつつ鉄筋組付用治具Ｊ１又はＪ２の筒状本体１下部をテンプレート１０の穴部５に挿入する。
この際には、前記鉄筋組付用治具Ｊ１又はＪ２の係止突部３をテンプレート１０の拡径部５ａと対応させて当該係止突部３をテンプレート１０の下方に配置する。
なお、当初から円筒形状となっている鉄筋組付用治具Ｊ２を使用する場合には、鉄筋４の上端部から鉄筋組付用治具Ｊ２を装着する。
【００３２】
そして、筒状本体１の拡張部２によって鉄筋組付用治具Ｊ１又はＪ２がテンプレート１０（１１〜１４）の上面に配置されるようにし、さらに、前記筒状本体１の上部又は拡張部２を回動操作して前記テンプレート１０の穴部５付近を前記係止突部３と前記拡張部２とによって挟み込み、鉄筋組付用治具Ｊ１又はＪ２をテンプレート１０上に固定することで各柱鉄筋４を正しく位置決めする。
【００３３】
そして、テンプレート１０のレベルを調整しながらテンプレート１０を固定し、その後、柱鉄筋４を囲むように型枠を設置した後に、柱鉄筋４の周囲にコンクリートを流し込むことで、鉄筋組付用のテンプレート及び鉄筋組付用治具を用いて精度に優れ所期の設計強度を備えた鉄筋コンクリート柱を容易に製造することができる。
【００３４】
次に、本発明の他の実施形態である、図４及び図５に示す鉄筋組付用のテンプレート２０〜２６について説明する。
なお、前記鉄筋組付用のテンプレート１０〜１４と同様の構成については、その説明を省略する。
【００３５】
前記鉄筋組付用のテンプレート２０は、６枚の長尺状の鋼製板材からなる鉄筋組付用のテンプレート２１〜２６を目字状に結合させることで一体化した１つの鉄筋組付用のテンプレート２０を構成したものである。
前記テンプレート２３，２６は、鉄筋組付用治具を装着できる「Ｃ」字状の切欠からなる穴部５を一側部及び両端部に備えるとともに、テンプレート同士を結合することで全体形状を口字形、日字形又は目字形などとするためのテンプレート組立用穴６を両端部及び端部近傍の側部に有している。
【００３６】
前記鉄筋組付用のテンプレート２１，２２，２４，２５は、前記穴部５を両端部に備える前記鉄筋組付用のテンプレート２３，２６と結合するように組み合わされる鉄筋組付用のテンプレートであって、他のテンプレート２３，２６と重ね合わされる端部において鉄筋組付用治具Ｊ１又はＪ２と干渉しないように大径にて形成した干渉防止切欠部７を備えている。
また、前記鉄筋組付用のテンプレート２１，２２，２４，２５は、前記鉄筋組付用のテンプレート２３，２６と同様に、鉄筋組付用治具Ｊ１又はＪ２を装着できる「Ｃ」字状の切欠からなる穴部５を一側部に複数個備えている。
さらに、前記鉄筋組付用のテンプレート２１，２２，２４，２５は、鉄筋組付用のテンプレート同士を結合することで全体形状を口字形とするためのテンプレート組立用穴６を両端部に複数個備えている。
【００３７】
次に、本発明の他の実施形態である、図６及び図７に示す鉄筋組付用のテンプレート３０〜３４及び４０について説明する。
なお、前記鉄筋組付用のテンプレート１０〜１４と同様の構成については、その説明を省略する。
【００３８】
前記鉄筋組付用のテンプレート３０及び４０は、４枚の長尺状の鋼製板材からなる鉄筋組付用のテンプレート３１〜３４を口字状に結合させることで、一体化した１つの鉄筋組付用のテンプレート３０又は４０を構成したものである。
前記テンプレート３２，３４は、鉄筋組付用治具を装着できる「Ｃ」字状の切欠からなる穴部５を一側部及び両端部に備えるとともに、テンプレート同士を結合することで全体形状を口字形とするためのテンプレート組立用穴６を両端部及び両側部に複数個有している。
【００３９】
前記鉄筋組付用のテンプレート３１，３３は、前記穴部５を両端部に備える前記鉄筋組付用のテンプレート３２，３４と結合するように組み合わされる鉄筋組付用のテンプレートであって、他のテンプレート３２，３４と重ね合わされる両端部において鉄筋組付用治具Ｊ１又はＪ２と干渉しないように大径にて形成した干渉防止切欠部７を備えている。
【００４０】
また、前記鉄筋組付用のテンプレート３１，３３は、前記鉄筋組付用のテンプレート３２，３４と同様に、鉄筋組付用治具Ｊ１又はＪ２を装着できる「Ｃ」字状の切欠からなる穴部５を一側部に複数個備えている。
さらに、前記鉄筋組付用のテンプレート３１，３３は、鉄筋組付用のテンプレート同士を結合することで全体形状を口字形とするためのテンプレート組立用穴６を両端部に備えている。
【００４１】
そして、前記鉄筋組付用のテンプレート３２，３４に対する前記鉄筋組付用のテンプレート３３の結合位置（連結して固定する位置）を変更することで、前記鉄筋組付用のテンプレート３０又は４０を選択的に得ることができる。
よって、鉄筋４の位置が部分的にのみ異なる２以上の現場に対応して使用することができる（即ち、鉄筋組付用のテンプレートの兼用が可能となる）。
【００４２】
本発明は、上記各実施形態の形態に限定されるものではなく、本発明の趣旨を逸脱しない範囲で、例えば穴部５やテンプレート組立用穴６や干渉防止切欠部７の個数、配置、各部の形状、サイズ、などを適宜変更して実施してもよい。
例えば、穴部５として、拡径部５ａを省略し、係止突部３の無い鉄筋組付用治具を用いるようにすることもできる。
また、干渉防止切欠部７の形状は、必ずしも円弧を含むものである必要は無く、多角形状又は拡径部５ａを有する穴部５と相似形状のようなものであっても、本発明の「大径にて形成した干渉防止切欠部」に該当するものである。
さらに、上記実施形態では、例えば鉄筋組付用のテンプレート１１〜１４の軽量化のために、「回」の字状に２列に並んだ鉄筋の内側の鉄筋に対応する穴部５付近のテンプレートが内側に突出するような複雑形状の形態としているが、全体が長方形状の鉄筋組付用のテンプレートの両側に穴部５を形成してもよい。
【産業上の利用可能性】
【００４３】
本発明の鉄筋組付用のテンプレートは、２列に並んだ鉄筋の間であっても鉄筋の側方から装着が可能であり、また、柱の４隅に配置される鉄筋にも側方から装着が可能であり、多様な建築現場に対応でき、鉄筋コンクリート建造物の建築産業において好適に利用することができる。
【符号の説明】
【００４４】
１    筒状本体
２    拡張部
３    係止突部
４    鉄筋
５    穴部の一実施形態としての「Ｃ」字状の穴部
５ａ  拡径部
６    テンプレート組立用穴（ボルト穴）
７    干渉防止切欠部
１０〜１４    鉄筋組付用のテンプレート
２０〜２６    鉄筋組付用のテンプレート
３０〜３４    鉄筋組付用のテンプレート
４０    鉄筋組付用のテンプレート
Ｈ    半円筒状体
Ｊ１  鉄筋組付用治具
Ｊ２  鉄筋組付用治具
Ｓ１  係合凸部（位置決め手段）
Ｓ２  係合凹部（位置決め手段）
【要約】
【課題】  ２列に並んだ鉄筋の間であっても側方から装着が可能であり、また、柱の４隅に配置される鉄筋にも側方から装着が可能であり、鉄筋の周囲に装着される鉄筋組付用治具を取り付けて固定することができる穴部を備えた鉄筋組付用のテンプレートを提供する。
【解決手段】  
鉄筋４の側方から鉄筋４に装着できる長尺状の鉄筋組付用のテンプレート１０〜１４であって、鉄筋組付用治具を装着できる「Ｃ」字状の切欠からなる穴部５を両側部及び端部に備えるとともに、テンプレート同士を結合することで全体形状を口字形、日字形、目字形、田字形、囲字形又はその他の多角形状とするためのテンプレート組立用穴６を端部に備えている鉄筋組付用のテンプレート１０〜１４である。
【選択図】図１【図１】
0005924827.tif 000002
【図２】
0005924827.tif 000003
【図３】
0005924827.tif 000004
【図４】
0005924827.tif 000005
【図５】
0005924827.tif 000006
【図６】
0005924827.tif 000007
【図７】
0005924827.tif 000008
【図８】
0005924827.tif 000009